(57)【要約】      （修正有）【課題】ｅ−コマースの目的で電子資金転送を安全にするためクレジットカードおよびデビットカードを含むその他の財務アカウントの使用を可能にする方法を提供する。【解決手段】ユーザが購入をカバーするために特有のトランザクション識別子をトランザクション管理機関からリクエストし、トランザクション管理機関はユーザの有効性をチェックし、トランザクション管理機関はユーザが有効ならば、特有のトランザクション識別子をユーザに与え、ユーザはトランザクションの取引業者に商品またはサービスを購入するようにリクエストし、ユーザはトランザクション識別子を取引業者に提供し、取引業者はトランザクション管理機関にトランザクション識別子を提供し、トランザクション管理機関はトランザクション識別子を確認し、トランザクション管理機関はトランザクション識別子が有効ならば取引業者に特有のトランザクション番号を提供する。【選択図】図１
2012014723.tif 000002
【特許請求の範囲】
【請求項１】
トランザクション管理機関を提供し、
ユーザをトランザクション管理機関により登録し、
取引業者をトランザクション管理機関により登録し、
ユーザが購入をカバーするために特有のトランザクション識別子をトランザクション管理機関からリクエストし、
トランザクション管理機関はユーザの有効性をチェックし、
トランザクション管理機関はユーザが有効ならば、特有のトランザクション識別子をユーザに与え、
ユーザはトランザクションの取引業者に商品またはサービスを購入するようにリクエストし、
ユーザはトランザクション識別子を取引業者に提供し、
取引業者はトランザクション管理機関にトランザクション識別子を提供し、
トランザクション管理機関はトランザクション識別子を確認し、
トランザクション管理機関はトランザクション識別子が有効ならば取引業者に特有のトランザクション番号を提供し、
トランザクション管理機関は取引業者の財務機構アカウントに支払いを行うステップを含んでいるオンライントランザクションを行う方法。
【請求項２】
トランザクション管理機関は取引業者に支払う金額をカバーするためにユーザのアカウントから金額を差引く請求項１記載のオンライントランザクションを行う方法。
【請求項３】
トランザクション管理機関は特有のトランザクション識別子のリクエスト時に金額を差引く請求項２記載のオンライントランザクションを行う方法。
【請求項４】
トランザクション管理機関は金額を取引業者に転送する時に金額を差引く請求項２記載のオンライントランザクションを行う方法。
【請求項５】
ユーザのアカウントは財務機構と共にある請求項１記載のオンライントランザクションを行う方法。
【請求項６】
ユーザのアカウントはトランザクション管理機関と共にある請求項１記載のオンライントランザクションを行う方法。
【請求項７】
トランザクション管理機関は財務機構により既存のアカウントに対応する新しいアカウントを発行し、それによって新しいアカウントの詳細は古い既存のアカウント詳細の代わりにユーザおよび取引業者により使用される請求項１記載のオンライントランザクションを行う方法。
【請求項８】
トランザクション管理機関は既存のアカウントの詳細を調べるため新しいアカウントを使用し、既存のアカウントの詳細は財務機構によりトランザクション管理機関によって使用される請求項７記載のオンライントランザクションを行う方法。
【請求項９】
ユーザはインターネット接続により特有のトランザクション識別子をリクエストする請求項１記載のオンライントランザクションを行う方法。
【請求項１０】
ユーザの登録詳細はトランザクション管理機関のデータベースに記憶されている請求項１記載のオンライントランザクションを行う方法。
【請求項１１】
取引業者の登録詳細は特有の取引業者識別子を含むデータベース中に記憶されている請求項１記載のオンライントランザクションを行う方法。
【請求項１２】
特有のトランザクション識別子に対するユーザのリクエストはトランザクション管理機関のデータベース中に記憶されているユーザの詳細をチェックすることによって確認される請求項１０記載のオンライントランザクションを行う方法。
【請求項１３】
取引業者が特有の識別番号を転送管理機関へ送信するとき、取引業者の特有の識別子はトランザクション管理機関に送られ、それによって取引業者の識別子の確認は識別番号の送信前にトランザクション管理機関によりチェックされる請求項１１記載のオンライントランザクションを行う方法。
【請求項１４】
トランザクション管理機関は、トランザクションをカバーするのに十分な資金が利用可能であるか否かをチェックし、十分な資金が利用可能であるならば、トランザクション番号が取引業者へ与えられる請求項１記載のオンライントランザクションを行う方法。
【請求項１５】
取引業者はトランザクション番号と資金の転送をリクエストするため、インターネットまたは専用の秘密保護された安全なラインによりトランザクション管理機関に連結している請求項１記載のオンライントランザクションを行う方法。
【請求項１６】
ユーザと、トランザクション管理機関と、取引業者と、トランザクション管理機関の間のリンクは暗号化により秘密保護されている請求項１記載のオンライントランザクションを行う方法。
【発明の詳細な説明】
【技術分野】
【０００１】
本発明は、インターネット設備およびその他の市場および／または産業上のオンラインデータ転送設備を使用して、秘密保護され、制御された信頼性のある資金トランザクションの機能、性能、提供に関する。
【背景技術】
【０００２】
現在のｅ−コマース環境およびシステムはショッピングオンラインにおいて人々に信頼を与えていない。人々は買物を行うためにクレジットカード／デビットカードを使用するときにセキュリティの問題について心配している。彼等はオンラインで買物を行うためにクレジットカード／デビットカードを使用することによって、詐欺行為に対するクレジットカード／デビットカードのセキュリティに妥協する。このような情報が悪い人の手に渡ったとき、彼等は財務上の関与について説明する責任がある。本発明はこのプロセスを継続するが、詐欺行為を確実になくすためにトランザクションにセキュリティを付加する。
【０００３】
適切なシステムはまたビジネスと消費者、および／またはビジネスとビジネスのアプリケーションによるｅ−コマースの目的で電子資金転送を安全にするためクレジットカードおよびデビットカードを含むその他の財務アカウントの使用を可能にする。このような設備によって、１以上の財務団体内で１つの財務アカウントから別のアカウントへインターネットおよび／または外部データ転送設備を介して電子通信ネットワークの使用により資金を移動する。
【０００４】
クレジットカード／デビットカード設備の使用に加えて、本発明はオンラインの取引および／またはトランザクションにおける全ての既存の財務アカウントの使用を可能にする。
【０００５】
本発明はまたインターネット財務アカウントとして知られている新しいオンライン財務アカウントを紹介する。インターネット財務アカウント（以下ＩＦＡと呼ぶ）はクレジットアカウントまたは料金アカウントとして利用可能である。
【０００６】
電子資金転送−ＺＩＰＦＵＮＤ（以下ＺＩＰＦＵＮＤと呼ぶ）はこのようなセキュリティに掛り合わないようにする本発明である。
【発明の概要】
【０００７】
ＺＩＰＦＵＮＤはユーザのアイデンティティを追跡する特有の識別子を有するそれ自身のトランザクション番号を生成する。これはユーザアカウント詳細およびトランザクション番号を含んでいる。
【０００８】
ＺＩＰＦＵＮＤはユーザの妥当性をチェックを確認するためにユーザ詳細についてそのデータベースをチェックする。ユーザが妥当なユーザではないことが発見されたならば、ユーザはＺＩＰＦＵＮＤの使用を許可されない。
【０００９】
ＺＩＰＦＵＮＤは各トランザクションが特有であるように規則的なプロセスで財務トランザクションを割当てる。トランザクションは十分な資金がユーザアカウントで利用可能であるときにのみ処理されることができる。
【００１０】
ＺＩＰＦＵＮＤはユーザの契約により財務トランザクションを割当てる。これはユーザが財務トランザクション中の資金額を決定できることを含んでいる。トランザクションはユーザが自分の口座に十分な資金を有している場合にのみ完了する。これは各トランザクションがそれぞれの買物に関しそれぞれの買物が財務トランザクションの合計金額であるときに、ユーザのトランザクションにおいてユーザに絶対的な制御を与える。
【００１１】
ＺＩＰＦＵＮＤは割当てられたＺＩＰＦＵＮＤトランザクション識別子により取引業者がユーザのトランザクションを受けたときトランザクション全体を完了する。これはｅ−コマース設備を使用してインターネットにより処理される。
【００１２】
ＺＩＰＦＵＮＤは財務、金融機関、クレジットカード／デビットカードアカウントと、その固有の財務データベースシステムへのリンクにより十分な資金を確認する。
【００１３】
ＺＩＰＦＵＮＤは、以前の買物またはトランザクションからこのような情報が取引業者へ与えられたとき、取引業者が権利を有していないクレジットカード／デビットカードトランザクションを使用することを阻止する。
【００１４】
ＺＩＰＦＵＮＤは各トランザクションをチェックし、処理するためにそれ自身のセキュリティ暗号および暗号解読システムを有する。
【００１５】
ＺＩＰＦＵＮＤは正当なトランザクションを確実にするため、そのデータベースと財務機構とのリンクにより各ユーザの十分な資金有効性を確認する。
【００１６】
ＺＩＰＦＵＮＤは安全な財務トランザクションを確実にするためにユーザと取引業者との両者を点検する。
【００１７】
ＺＩＰＦＵＮＤは証明された財務機構システムと動作する。これはシステムインターフェースリンク、共通のシステムインターフェースプラットフォーム、およびシステムの可搬性により処理される。
【図面の簡単な説明】
【００１８】
【図１】なし
【図２】なし
【図３】なし
【図４】なし
【図５】なし
【発明を実施するための形態】
【００１９】
ＺＩＰＦＵＮＤのユーザ４はインターネット接続によりこの設備をアクセスする。ＺＩＰＦＵＮＤの全てのユーザはその設備を使用するためにＺＩＰＦＵＮＤによりアカウントをもたなければならない。アカウントは登録されたユーザに特有である。
【００２０】
ＺＩＰＦＵＮＤの使用に関する全ての情報は秘密にされ、プライバシーおよび法律関連に従っている。
【００２１】
ユーザは随意にＺＩＰＦＵＮＤによりインターネット財務アカウント（ＩＦＡ）を獲得することを選択してもよい。ＺＩＰＦＵＮＤはＩＦＡを承認されたクライアントのみに対して発行する。
【００２２】
Ｅ−コマース取引業者３はインターネットクライアントとビジネスを行うためにインターネットサイトを使用する単独または複数の人またはエンティティである。Ｅ−コマース取引業者はその設備を使用するためにＺＩＰＦＵＮＤに登録されなければならない。これはＥ−コマース取引業者のサイトが安全なサイトであることを確実にし、インターネットクライアントはその証明を承認する。Ｅ−コマース取引業者は支払いを確かめる前にインターネットクライアントからＺＩＰＦＵＮＤトランザクション識別子を得ることを要求される。これらのＺＩＰＦＵＮＤトランザクション識別子は財務機構からの支払いを確実にするためにＺＩＰＦＵＮＤにより確認される必要がある。ＺＩＰＦＵＮＤは全ての承認されたＥ−コマース取引業者のデータベースを有する。
【００２３】
財務または金融機関１はインターネットユーザ（クライアント）および／またはＥ−コマース取引業者が有する承認されたレベルの資金を提供するエンティティである。
【００２４】
インターネットユーザの場合、このような資金は彼等のクレジットカードアカウントによるクレジットアカウントである。ＺＩＰＦＵＮＤ機能により、このような資金は全ての既存のアカウントタイプ、例えば小切手のアカウント、貯蓄預金またはＩＦＡにも利用可能である。
【００２５】
Ｅ−コマース取引業者は財務機構へのそれらの支払いを処理するため財務機構によるアカウントをもつ必要がある。ＺＩＰＦＵＮＤ機能により、ＺＩＰＦＵＮＤは全ての支払いトランザクションを指定された財務機構へ処理する責任を有する。
【００２６】
財務機構はＺＩＰＦＵＮＤに、承認された資金の有効性を含むクライアントの財務情報へのアクセスを与える必要がある。これによりＺＩＰＦＵＮＤはインターネットユーザの財務経歴を確認することができる。
【００２７】
消費者へのＩＦＡの発行はＺＩＰＦＵＮＤと財務機構の間の取決めである。
【００２８】
ＺＩＰＦＵＮＤ２はインターネットユーザとＥ−コマース取引業者と財務機構とのサービスに対して責任を有する。
【００２９】
ＺＩＰＦＵＮＤはＥ−コマース取引業者に対して、安全なネットワークを経てそれらにより送られるＺＩＰＦＵＮＤトランザクション識別子に対して承認されたトランザクション番号を与える責任を有する。ＺＩＰＦＵＮＤは財務機構に対して、安全なネットワークを介してＥ−コマース取引業者により送られる各ＺＩＰＦＵＮＤトランザクション識別子へ承認されたトランザクション番号を与える責任を有する。
【００３０】
ＺＩＰＦＵＮＤはトランザクション処理のためのオリジナルクレジットカードおよび／またはデビットカードアカウント番号を使用しない能力を有する。その代わりにＺＩＰＦＵＮＤは新しいＩＦＡ番号、またはオリジナルクレジットカード／デビットカード番号を参照するＺＩＰＦＵＮＤの自分のクレジットカード／デビットカードアカウント番号を生成する。
【００３１】
ＺＩＰＦＵＮＤはビジネスと消費者のトランザクションを実行するためにインターネットユーザの絶対的なセキュリティを確実にする責任を有する。これはＺＩＰＦＵＮＤ専用のソフトウェア、アカウントシステム、プロセスフロー、システム設計および方法、専用の情報であるデータ定義および特別な制御プロセスにより可能である。
【００３２】
図２はトランザクションプロセスの概略を示し、５はスタートを示している。
【００３３】
インターネットユーザまたは消費者６は図１のアイテム４と同じである。インターネットユーザ１はインターネットによりＺＩＰＦＵＮＤ２にアクセスする。ＺＩＰＦＵＮＤへのアクセスが承認される前に、ネットワークセキュリティアクセス制御およびユーザプロフィールパスワードチェックのようなセキュリティプロセスが存在する。インターネットユーザ１は早期にＺＩＰアカウントホルダに登録されている。
【００３４】
インターネットユーザ１はトランザクション識別子を彼等のオンラインショッピングの必要のためにリクエストする。これは図２のステップ７で示されている。
【００３５】
ＺＩＰＦＵＮＤ２はインターネットユーザ６が妥当なユーザであることを確認するために、彼等をチェックする。これは図２でステップ８として示されている。
【００３６】
ＺＩＰＦＵＮＤ２は図２でステップ９として示されているように確認プロセスを確認する。
【００３７】
決定プロセスは図２でステップ10として示されている。インターネットユーザ１が妥当なユーザとして確認されたならば、タスクは図２のステップ11に移動する。、妥当なユーザとして確認されないならば、インターネットユーザ６はＺＩＰＦＵＮＤ２から拒否される。
【００３８】
インターネットユーザ６が妥当なユーザとして確認されたと仮定すると、彼等はタスク11に進む。このタスクはＺＩＰＦＵＮＤ２がインターネットユーザ６によりリクエストされたときにトランザクション識別子を発行することである。
【００３９】
インターネットユーザ６はその後Ｅ−コマース取引業者のサイトにおいてアイテムを選択する。このタスクは図２でステップ12として示されている。
【００４０】
インターネットユーザ６が一度アイテムを決定すると、彼等はトランザクション識別子をＥ−コマース取引業者へ発行する。このタスクは図２でステップ13として示されている。
【００４１】
Ｅ−コマース取引業者３はＺＩＰＦＵＮＤ２によりトランザクション識別子を確認する。このタスクは図２でステップ14として示されている。
【００４２】
ＺＩＰＦＵＮＤ２はＥ−コマース取引業者３からトランザクション識別子の有効性を確認する。このタスクは図２でステップ15として示されている。ＺＩＰＦＵＮＤ２へのアクセスが承認される前に、ネットワークセキュリティアクセス制御および取引業者のプロフィールパスワードチェックなどのセキュリティプロセスが存在する。
【００４３】
決定プロセスが図２のステップ16として示されている。トランザクション識別子が有効であることが確認されると、タスクは図２のステップ17へ移る。
【００４４】
ＺＩＰＦＵＮＤ２はＥ−コマース取引業者３へ承認されたトランザクション番号を発行する。これはＥ−コマース取引業者に、彼等のトランザクション識別子が受け入れられたことを通知する。トランザクション識別子が拒否されたならば、タスク16はＥ−コマース取引業者に拒否とその理由を報告する。
【００４５】
トランザクション識別子が受け入れられたと仮定すると、ＺＩＰＦＵＮＤは彼等の財務機構１においてＥ−コマース取引業者アカウントに、支払われるクレジット額を発行する。このタスクは図２でステップ18として示されている。財務機構１へのアクセスが承認される前に、ネットワークセキュリティアクセス制御およびＺＩＰＦＵＮＤのプロフィールパスワードチェックなどのセキュリティプロセスが存在する。
【００４６】
図２のステップ19はトランザクションプロセスの終了を示している。
【００４７】
図３のアイテム20はＺＩＰＦＵＮＤシステムアーキテクチャの下位層を示している。通常、ここにはオペレーティングシステムが存在する。
【００４８】
次のレベルはリレーショナルデータベース管理システム21である。これはシステムのデータ集収センタである。
【００４９】
リレーショナルデータベース管理システム21はアプリケーションシステム22と対話する。アプリケーションシステムは、ＺＩＰＦＵＮＤ２をその他の世界へリンクするインターネットベースシステム23と対話する。
【００５０】
図４のアイテム24はインターネットユーザプロフィールを示している。インターネットユーザプロフィール24は図１の特別なインターネットユーザ４に関する情報の倉庫である。これはアイテム25として示されている財務機構プロフィールによる確認に使用される。
【００５１】
図４のアイテム26はＥ−コマース取引業者プロフィールを示している。Ｅ−コマース取引業者プロフィール26は図１の特定のＥ−コマース取引業者３に関する情報の倉庫である。これはアイテム27として示されている財務機構プロフィールによる確認に使用される。Ｅ−コマース取引業者３のプロフィールはインターネットワークユーザ４とは異なることが認められている。
【００５２】
図５はデータ確認構造（プロセス）を示している。全てのアクティビティは追跡され、ＺＩＰＦＵＮＤ２の会計監査証跡に記録される。
【００５３】
ＺＩＰＦＵＮＤはＥ−コマースをサポートするため以下の機能を与えることができる。  
・真のオンラインシステム（全てのトランザクションをオンラインで処理する）  
・購入システム（全てのユーザ［クライアント］がオンラインで買物を行う）  
・支払いシステム（他の供給業者［取引業者および／または財務機構］の支払いシステムおよびその固有［ＺＩＰＦＵＮＤ］支払いシステムをサポートする）  
・パスワード制御（システムにおけるパスワード確認プロセスを有する）  
・クレジットカードおよびデビットカードのサポート（買物および支払いをするため、他の供給業者［取引業者および／または財務機構］のクレジットカード／デビットカードと、その固有［ＺＩＰＦＵＮＤ］クレジット／デビットカード設備の使用を可能にする）  
・ＺＩＰＦＵＮＤクレジットカードシステム（両立性のクレジットカード設備を提供する）  
・全ての財務機構のアカウントのサポート（全てのタイプの銀行のアカウント、例えば貯金、小切手によりトランザクションが処理されることを可能にする）インターネットユーザ（クライアント）は彼等が有効なＺＩＰＦＵＮＤユーザ（クライアント）であるならばオンラインでの買物と支払いを行うために全てのタイプの銀行のアカウントを使用する。  
・トランザクション識別子の使用による制御された購入額（全てのユーザ（クライアント）は各トランザクションに対して資金額を制御することができる）  
・ユーザ確認システム（システムはユーザ［クライアント］識別を確認する）  
・取引業者確認システム（システムは取引業者識別を確認する）  
・暗号／暗号解読システムと専用のシステムアーキテクチャによるハッカー防止システム。
【図１】
2012014723.tif 000003
【図２】
2012014723.tif 000004
【図３】
2012014723.tif 000005
【図４】
2012014723.tif 000006
【図５】
2012014723.tif 000007
【手続補正書】
【提出日】平成23年10月12日(2011.10.12)
【手続補正１】
【補正対象書類名】特許請求の範囲
【補正対象項目名】全文
【補正方法】変更
【補正の内容】
【特許請求の範囲】
【請求項１】
オンライントランザクションをコンピュータによって行う方法において、
トランザクション管理機関をコンピュータに設け、そのトランザクション管理機関は、
ユーザおよび取引業者の登録情報を保持している登録手段と、
入力部および出力部と、
チェック手段と、
識別子発生手段と、
確認手段と、
トランザクション番号発生手段と、
支払い手段とを含んでおり、
前記登録手段中にユーザの登録情報を記憶することによりユーザをトランザクション管理機関により登録し、
前記登録手段中に取引業者の登録情報を記憶することにより取引業者をトランザクション管理機関により登録し、
トランザクション管理機関の入力部において購入をカバーするために特有のトランザクション識別子に対するユーザによるリクエストを受信し、
チェック手段を使用してユーザの有効性をチェックし、
ユーザの有効性が確認された場合には出力部から識別子発生装置により発生された特有のトランザクション識別子をユーザに出力し、
ユーザはそのユーザのコンビュータから製品またはサービスを購入するためのトランザクションに対するリクエストをその取引業者と関係するコンビュータに送信し、そのリクエストにはトランザクション識別子およびユーザの指名したアカウント識別子が含まれており、
取引業者のコンビュータにより与えられたトランザクション識別子およびユーザの指名したアカウント識別子をトランザクション管理機関装置の入力部において受信し、
確認手段を使用する受信されたトランザクション識別子の確認を含むユーザの指名したアカウント識別子により識別されたユーザの財務機構アカウントに関してトランザクション支払いを確認し、トランザクション識別子が有効である場合には取引業者に対してトランザクション番号発生手段により発生された特有のトランザクション番号を提供し、
アカウント識別子によって識別されたユーザの財務機構アカウントから外部財務機構によりオンライン支払いを行わせ、受信されたトランザクション識別子が有効である場合には支払い手段を使用して取引業者の財務機構アカウントへ送金する方法。
【請求項２】
トランザクション管理機関は取引業者に支払う金額をカバーするためにユーザのアカウントから金額を差引く請求項１記載のオンライントランザクションを行う方法。
【請求項３】
トランザクション管理機関は特有のトランザクション識別子のリクエスト時に金額を差引く請求項２記載のオンライントランザクションを行う方法。
【請求項４】
トランザクション管理機関は金額を取引業者に転送する時に金額を差引く請求項２記載のオンライントランザクションを行う方法。
【請求項５】
ユーザのアカウントは財務機構と共にある請求項１記載のオンライントランザクションを行う方法。
【請求項６】
ユーザのアカウントはトランザクション管理機関と共にあり、そのトランザクション管理機関は財務機構ではない請求項１記載のオンライントランザクションを行う方法。
【請求項７】
トランザクション管理機関はアカウント発行手段から新しいアカウントを発行し、その新しいアカウントは財務機構にある既存のアカウントに対応しており、それによって新しいアカウントの詳細は既存のアカウント詳細の代わりにユーザおよび取引業者により使用される請求項１記載のオンライントランザクションを行う方法。
【請求項８】
トランザクション管理機関はデータベース中の既存のアカウントの詳細を調べるため新しいアカウントを使用し、既存のアカウントの詳細はトランザクション管理機関によって使用されて財務機構によりユーザの既存のアカウントからの支払いをカバーする金額を引き落とさせる請求項７記載のオンライントランザクションを行う方法。
【請求項９】
ユーザはインターネット接続により特有のトランザクション識別子をリクエストする請求項１記載のオンライントランザクションを行う方法。
【請求項１０】
ユーザの登録詳細はトランザクション管理機関のデータベースに記憶されている請求項１記載のオンライントランザクションを行う方法。
【請求項１１】
取引業者の登録詳細は特有の取引業者識別子を含めてデータベース中に記憶されている請求項１記載のオンライントランザクションを行う方法。
【請求項１２】
特有のトランザクション識別子に対するユーザのリクエストはトランザクション管理機関のデータベース中に記憶されているユーザの詳細をチェック手段によりチェックすることによって確認される請求項１０記載のオンライントランザクションを行う方法。
【請求項１３】
取引業者が特有の識別番号を転送管理機関へ送信するとき、取引業者の特有の識別子はトランザクション管理機関に送られ、それによって取引業者の識別子の確認はトランザクション番号を取引業者に送信する前にトランザクション管理機関の確認手段によりチェックされる請求項１１記載のオンライントランザクションを行う方法。
【請求項１４】
トランザクション管理機関は、トランザクションをカバーするのに十分な資金が利用可能であるか否かをチェックし、十分な資金が利用可能であるならば、トランザクション番号のみが取引業者へ与えられる請求項１記載のオンライントランザクションを行う方法。
【請求項１５】
取引業者はトランザクション番号と資金の転送をリクエストするため、インターネットまたは専用の秘密保護された安全なラインによりトランザクション管理機関に連結されている請求項１記載のオンライントランザクションを行う方法。
【請求項１６】
ユーザと、トランザクション管理機関と、取引業者と、トランザクション管理機関の間のリンクは暗号化手段によって行われる暗号化により秘密保護されている請求項１記載のオンライントランザクションを行う方法。
【請求項１７】
オンライントランザクションをコンピュータにより行うためのトランザクション管理機関装置において、
トランザクション管理機関装置はコンピュータを具備し、
そのコンピュータはコンビュータにより実行可能なコードを実行するように構成されており、
ユーザを登録するための登録手段と、
取引業者の登録するための取引業者登録手段と、
購入に必要な金額に対する特有のトランザクション識別子に対するユーザのリクエストを受取るユーザリクエスト入力手段と、
ユーザの有効性をチェックするチェック手段と、
ユーザが有効である場合には特有のトランザクション識別子を発生する識別子発生手段と、
トランザクション識別子を受信し、さらに、商品またはサービスを購入するリクエストの一部としてユーザにより取引業者に与えられた後にトランザクション識別子およびユーザにより指定されたアカウント識別子を受信するトランザクション識別子入力手段と、
ユーザにより指定されたアカウント識別子によって識別された登録されたユーザの財務機構アカウントに関するトランザクションの支払いを、受信されたトランザクション識別子の確認を含めて確認する確認手段と、
トランザクション識別子が有効であり確認された場合にのみ特有のトランザクション番号を取引業者に与えるためのトランザクション番号出力手段と、
指定されたアカウント識別子により識別されたユーザの財務機構アカウントから外部の財務機構により支払いを行わせ、受信されたトランザクション識別子が有効な場合には取引業者の財務機構アカウントに支払い金額を送金する支払い手段とを具備しているトランザクション管理機関装置。
【請求項１８】
取引業者に支払う金額を与えるためにユーザのアカウントから金額を支払う手段を具備している請求項１７記載のトランザクション管理機関装置。
【請求項１９】
トランザクション管理機関装置は、財務機構による既存のアカウントに対応する新しいアカウントを発行する手段を具備し、それによって新しいアカウントの詳細は既存のアカウント詳細の代わりにユーザおよび取引業者により使用される請求項１７記載のトランザクション管理機関装置。
【請求項２０】
トランザクション管理機関装置は、既存のアカウントの詳細を検査するために新しいアカウントを使用するように構成され、既存のアカウントの詳細は財務機関を有するトランザクション管理機関によって使用される請求項１９記載のトランザクション管理機関装置。
【請求項２１】
前記ユーザリクエスト入力手段は、インターネット接続により特有のトランザクション識別子に対するリクエストを受信するように構成されている
請求項１７記載のトランザクション管理機関装置。
【請求項２２】
前記トランザクション管理機関装置の登録手段は、ユーザの登録の詳細を記憶しているデータベース記憶装置を具備している請求項１７記載のトランザクション管理機関装置。
【請求項２３】
前記データベース記憶装置はまた、特有の取引業者識別子を含む取引業者の登録の詳細を記憶している請求項２２載のトランザクション管理機関装置。
【請求項２４】
トランザクション管理機関装置は、前記データベース記憶装置に記憶されたユーザの詳細をチェックすることによって特有のトランザクション識別子に対するユーザのリクエストを確認するように構成されている請求項２２記載のトランザクション管理機関装置。
【請求項２５】
トランザクション管理機関装置は、トランザクションの購入に十分な利用可能なユーザの資金があるか否かを検査するように構成され、十分な利用可能な資金がある場合のみトランザクション番号が取引業者に与えられるように構成されている請求項１７記載のトランザクション管理機関装置。
【請求項２６】
トランザクション識別子出力手段は、秘密保護された暗号化されたリンクによって特有のトランザクション識別子をユーザに提供するように構成されている請求項１７記載のトランザクション管理機関装置。
【請求項２７】
トランザクション識別子入力手段は、秘密保護された暗号化されたリンクによって特有のトランザクション識別子を受信するように構成されている請求項１７記載のトランザクション管理機関装置。